【手続補正書】
【提出日】平成18年7月18日(2006.7.18)
【手続補正１】
【補正対象書類名】明細書
【補正対象項目名】００９２
【補正方法】変更
【補正の内容】
【００９２】
ここで、具体的な実験による結果を示す。なお、この実験では、ＡＧＣ回路７のループ利得の比率を、大きい場合：小さい場合＝５：１に設定している。
ゴースト妨害のない信号に対して、ＡＧＣ回路７のループ利得を大きくした場合のセグメント同期信号２０の検出時間は０．３５秒（２０回測定した平均値、以下同じ）、ＡＧＣ回路７のループ利得を小さくした場合のセグメント同期信号２０の検出時間は０．３１秒でほとんど差はない。一方、１μｓｅｃ，Ｄ／Ｕ＝６ｄＢのゴースト妨害のある信号に対しては、ＡＧＣ回路７のループ利得を大きくした場合のセグメント同期信号２０の検出時間は４．５秒、ＡＧＣ回路のループ利得を小さくした場合のセグメント同期信号２０の検出時間は６．５秒と、ループ利得を大きくしたときの方がセグメント同期信号２０の検出時間が短くなる。
また、ゴースト妨害除去の性能は、ＡＧＣ回路７のループ利得を大きいままで固定した場合には、ゴースト妨害１μｓｅｃのゴースト除去性能はＤ／Ｕ＝１３ｄＢであるが、セグメント同期信号２０の検出前後においてＡＧＣ回路７のループ利得を大きい値から小さい値へと切り換えた場合には、ゴースト妨害１μｓｅｃの除去性能はＤ／Ｕ＝８ｄＢとなる。なお、Ｄは希望波（Ｄｅｓｉｒｅ）を、Ｕは妨害波（Ｕｎｄｅｓｉｒｅ）を表し、Ｄ／Ｕが小さいほどゴースト妨害のレベルが大きくなる。
【手続補正２】
【補正対象書類名】明細書
【補正対象項目名】０１３４
【補正方法】変更
【補正の内容】
【０１３４】
よって、抵抗７５の他方端子から可変クロック発振器６５を介してＡＤ変換器４へフィードバックされるクロック信号９は、セグメント同期信号２０が検出されていない場合には、広帯域ループフィルタを通過した判定信号が、セグメント同期信号２０が検出された場合には、狭帯域ループフィルタを通過した判定信号が、セグメント同期検出信号３０に従って選択的に切り換えられて出力される。
【手続補正３】
【補正対象書類名】明細書
【補正対象項目名】０１３９
【補正方法】変更
【補正の内容】
【０１３９】
増幅器６１が出力する増幅後のディジタルの判定信号は、ディジタルフィルタ８２においてフィルタリングされ、ＤＡ変換器６９でアナログ信号（ＤＣ電圧）に変換された後、可変クロック発振器６５を介してクロック信号９としてＡＤ変換器４にフィードバックされる。
広帯域の係数８３には、ディジタルフィルタ８２を広帯域で機能させるために必要なフィルタ係数が格納されている。また、狭帯域の係数８４には、ディジタルフィルタ８２を狭帯域で機能させるために必要なフィルタ係数が格納されている。
そして、切り換え回路６４は、セグメント同期検出信号３０に従って、セグメント同期検出信号３０が“Ｌ”である（セグメント同期信号２０が検出されていない）場合には、広帯域の係数８３をディジタルフィルタ８２に書き込み、セグメント同期検出信号３０が“Ｈ”である（セグメント同期信号２０が検出された）場合には、狭帯域の係数８４をディジタルフィルタ８２に書き込む。
【手続補正４】
【補正対象書類名】明細書
【補正対象項目名】０１４０
【補正方法】変更
【補正の内容】
【０１４０】
よって、ディジタルフィルタ８２は、セグメント同期信号２０が検出されていない場合には、広帯域ループフィルタとして機能し、セグメント同期信号２０が検出された場合には、狭帯域ループフィルタとして機能するため、ＡＤ変換器４へフィードバックされるクロック信号９は、セグメント同期検出信号３０に従って帯域が選択的に切り換えられて出力される。
【手続補正５】
【補正対象書類名】明細書
【補正対象項目名】０１４５
【補正方法】変更
【補正の内容】
【０１４５】
切り換え回路６４は、増幅器（利得大）９２および増幅器（利得小）９３でそれぞれ増幅された信号と、セグメント同期検出回路２８からセグメント同期検出信号３０を入力する。そして、切り換え回路６４は、セグメント同期検出信号３０に従って、セグメント同期検出信号３０が“Ｌ”である（セグメント同期信号２０が検出されていない）場合には、増幅器（利得大）９２で増幅された信号を、セグメント同期検出信号３０が“Ｈ”である（セグメント同期信号２０が検出された）場合には、増幅器（利得小）９３で増幅された信号を選択的に切り換えて出力する。そして、切り換え回路６４から選択的に出力された信号（ＤＣ電圧）は、ループフィルタ９４および可変クロック発振器６５を介した後、クロック信号９としてＡＤ変換器４へフィードバックされる。
【手続補正６】
【補正対象書類名】明細書
【補正対象項目名】０１５０
【補正方法】変更
【補正の内容】
【０１５０】
切り換え回路６４は、オペアンプ（利得大）９５およびオペアンプ（利得小）９６でそれぞれ増幅された信号と、セグメント同期検出回路２８からセグメント同期検出信号３０を入力する。そして、切り換え回路６４は、セグメント同期検出信号３０に従って、セグメント同期検出信号３０が“Ｌ”である（セグメント同期信号２０が検出されていない）場合には、オペアンプ（利得大）９５で増幅された信号を、セグメント同期検出信号３０が“Ｈ”である（セグメント同期信号２０が検出された）場合には、オペアンプ（利得小）９６で増幅された信号を選択的に切り換えて出力する。そして、切り換え回路６４から選択的に出力された信号は、ループフィルタ９４および可変クロック発振器６５を介した後、クロック信号９としてＡＤ変換器４へフィードバックされる。
【手続補正７】
【補正対象書類名】明細書
【補正対象項目名】０１５４
【補正方法】変更
【補正の内容】
【０１５４】
クロック周波数検出器６０が出力するディジタルの判定信号は、乗算器９７において増幅され、ＤＡ変換器６９でアナログのＤＣ電圧に変換された後、ループフィルタ９４および可変クロック発振器６５を介してＡＤ変換器４にフィードバックされる。
係数大９８には、乗算器９７の増幅利得を大きくするために必要な係数が格納されている。また、係数小９９には、乗算器９７の増幅利得を小さくするために必要な係数が格納されている。
そして、切り換え回路６４は、セグメント同期検出信号３０に従って、セグメント同期検出信号３０が“Ｌ”である（セグメント同期信号２０が検出されていない）場合には、係数大９８を乗算器９７に入力し、セグメント同期検出信号３０が“Ｈ”である（セグメント同期信号２０が検出された）場合には、係数小９９を乗算器９７に入力する。
【手続補正８】
【補正対象書類名】明細書
【補正対象項目名】０１５５
【補正方法】変更
【補正の内容】
【０１５５】
よって、乗算器９７は、セグメント同期信号２０が検出されていない場合には利得大の増幅器として機能し、セグメント同期信号２０が検出された場合には利得小の増幅器として機能するため、ＡＤ変換器４へフィードバックされるクロック信号９は、セグメント同期検出信号３０に従って増幅値が選択的に切り換えられて出力される。
【手続補正９】
【補正対象書類名】明細書
【補正対象項目名】０１６３
【補正方法】変更
【補正の内容】
【０１６３】
さらに、フィールド同期検出回路１００は、フィールド同期信号検出が確定した後も、後続する各フィールドにおいて、確定したフィールド同期信号２１，２２のセグメントから３１３セグメント離れたセグメントの誤差量が最小であるか否かを判断する（ステップＳ２０６）。そして、ステップＳ２０６の判断において、３１３セグメント離れたセグメントの誤差量が最小でなかった場合、フィールド同期検出回路１００は、ステップＳ２０５で初期化したフィールド同期パターン未検出回数Ｃの値を１つ増やす（ステップＳ２０７）。このステップＳ２０６〜Ｓ２０７の手順を繰り返し、Ｃ＝Ｄ（Ｄは、フィールド同期信号未検出確定となるフィールド同期パターン未検出回数であり、予め任意に定めてある）となった場合には、フィールド同期検出回路１００は、フィールド同期検出が未確定に移行したと判断し、ステップＳ２０１に戻って再度フィールド同期検出確定への処理を行う（ステップＳ２０８）。